(57)【特許請求の範囲】
【請求項１】
洗浄槽内の液体に被洗浄物を浸漬して洗浄または濯ぎを図った後、前記洗浄槽内から液体を排出し、その後、前記被洗浄物に残る液体の飽和蒸気圧以下まで前記洗浄槽内を減圧後、復圧し、再び減圧することで前記被洗浄物からの液切りを図り、
前記被洗浄物の洗浄または濯ぎは、加熱手段により前記洗浄槽内の液体を設定温度まで加熱した後、減圧手段による前記洗浄槽内からの排気を継続して前記洗浄槽内の圧力を低下させる過程で、この減圧による前記洗浄槽内の液体の沸騰中に気相給気手段により前記洗浄槽内の気相部へ外気を導入して前記洗浄槽内を液体の沸騰が止むまで瞬時に一時的に復圧することを繰り返す動作を含む
ことを特徴とする洗浄方法。
【請求項２】
前記液切り後、前記洗浄槽内に再び液体を貯留して、前記被洗浄物の洗浄または濯ぎを図る
ことを特徴とする請求項１に記載の洗浄方法。
【請求項３】
前記洗浄槽内への液体の貯留と、前記被洗浄物の洗浄または濯ぎと、前記洗浄槽内からの液体の排出と、前記被洗浄物からの液切りとを含むサイクルを、設定回数行う
ことを特徴とする請求項１または請求項２に記載の洗浄方法。
【請求項４】
前記液切りにより、前記被洗浄物の乾燥を図るか、前記液切り後、前記被洗浄物の乾燥を図る
ことを特徴とする請求項１または請求項３に記載の洗浄方法。
【発明の詳細な説明】
【技術分野】
【０００１】
本発明は、医療器具の他、電子部品や機械部品などを洗浄する洗浄方法に関するものである。
【背景技術】
【０００２】
従来、下記特許文献１に開示されるように、カスト（８）を出入自在に収納するための蓋（１）を有するチャンバー（２）を設け、このチャンバー（２）内下方に洗浄水（２６）を加熱する加熱部（ヒータ１０）を設け、前記チャンバー（２）に洗浄水（２６）を給水する給水部（シャワーノズル１４）とその洗浄水（２６）を排水する排水部（１２）と内部の圧力を減圧する真空ポンプ（１９）とを接続し、この真空ポンプ（１９）と前記チャンバー（２）との間にこのチャンバー（２）から吸引された蒸気を冷却して液化する熱交換器（１８）を設け、この熱交換器（１８）にその冷却能力を調節して前記洗浄水（２６）の温度を一定に維持するための制御機構（流量制御弁２４）を設けたことを特徴とする洗浄滅菌装置が知られている（請求項４、第２図）。
【先行技術文献】
【特許文献】
【０００３】
【特許文献１】特開昭６１−１０９５６７号公報
【発明の概要】
【発明が解決しようとする課題】
【０００４】
洗浄装置においては、洗浄槽内の液体を入れ替えて、複数回洗浄を行ったり、洗浄後に濯ぎを行ったりする場合が多い。また、洗浄または濯ぎ後には、被洗浄物の乾燥を図る場合もある。なお、ここでの濯ぎとは、被洗浄物についた洗浄液を洗浄することを意味し、洗浄の一種と捉えることもできる。
【０００５】
しかしながら、従来の洗浄装置はいずれも、単に、洗浄槽内の貯留液を排水した後、新たな液体を貯留して、洗浄槽内の液体を入れ替えている。また、単に、洗浄槽内の貯留液を排水した後、乾燥工程を実施している。
【０００６】
このような方法では、たとえば、被洗浄物がチューブの場合や、被洗浄物が袋穴を有する場合、洗浄槽内から液体を排出しても、チューブ内や袋穴内に液体が残留して、液体の入れ替えが円滑になされないおそれがある。また、被洗浄物の乾燥に長時間を要したり、被洗浄物の乾燥が不十分になったりするおそれがある。
【０００７】
ところで、被洗浄物を乾燥させる方法として、従来、通風や送風を用いることもあるが、その場合には、アダプターが必要になったり、通風量の確保が必要になったりする。
【０００８】
本発明が解決しようとする課題は、洗浄槽内および被洗浄物内の液体の入れ替えを容易で確実に図ることにある。また、好ましくは、新たな部品を要することなく、被洗浄物の乾燥を短期間で確実に図ることを課題とする。
【課題を解決するための手段】
【０００９】
本発明は、前記課題を解決するためになされたもので、請求項１に記載の発明は、洗浄槽内の液体に被洗浄物を浸漬して洗浄または濯ぎを図った後、前記洗浄槽内から液体を排出し、その後、前記被洗浄物に残る液体の飽和蒸気圧以下まで前記洗浄槽内を減圧後、復圧し、再び減圧することで前記被洗浄物からの液切りを図り、前記被洗浄物の洗浄または濯ぎは、加熱手段により前記洗浄槽内の液体を設定温度まで加熱した後、減圧手段による前記洗浄槽内からの排気を継続して前記洗浄槽内の圧力を低下させる過程で、この減圧による前記洗浄槽内の液体の沸騰中に気相給気手段により前記洗浄槽内の気相部へ外気を導入して前記洗浄槽内を液体の沸騰が止むまで瞬時に一時的に復圧することを繰り返す動作を含むことを特徴とする洗浄方法である。
【００１０】
請求項１に記載の発明によれば、洗浄槽内から液体を排出後、洗浄槽内を減圧して、簡易に被洗浄物からの液切りを図ることができる。しかも、洗浄槽内の減圧を複数回行うことで、被洗浄物からの液切りを一層確実に図ることができる。
また、請求項１に記載の発明によれば、洗浄槽内を減圧して貯留液を沸騰させ、この沸騰中に洗浄槽内を瞬時に復圧して、貯留液の沸騰を一気に止める。この復圧時、それまでの沸騰により貯留液中に生じていた水蒸気の気泡は、瞬時に凝縮する。この凝縮時の圧力波や圧力差で、貯留液が攪拌および移送され、被洗浄物の洗浄または濯ぎが図られる。
【００１３】
請求項２に記載の発明は、前記液切り後、前記洗浄槽内に再び液体を貯留して、前記被洗浄物の洗浄または濯ぎを図ることを特徴とする請求項１に記載の洗浄方法である。
【００１４】
請求項２に記載の発明によれば、洗浄槽内の液体を排出後、被洗浄物からの液切りを図った上で、洗浄槽内に再び液体を入れることで、たとえば、被洗浄物がチューブの場合や、被洗浄物が袋穴を有する場合でも、液体の入れ替えを確実に図ることができる。
【００１５】
請求項３に記載の発明は、前記洗浄槽内への液体の貯留と、前記被洗浄物の洗浄または濯ぎと、前記洗浄槽内からの液体の排出と、前記被洗浄物からの液切りとを含むサイクルを、設定回数行うことを特徴とする請求項１または請求項２に記載の洗浄方法である。
【００１６】
請求項３に記載の発明によれば、洗浄槽内の液体の入れ替え時に、被洗浄物からの液切りを行うことで、洗浄槽内および被洗浄物内の液体を確実に入れ替えつつ、被洗浄物の洗浄または濯ぎを図ることができる。
【００１７】
請求項４に記載の発明は、前記液切りにより、前記被洗浄物の乾燥を図るか、前記液切り後、前記被洗浄物の乾燥を図ることを特徴とする請求項１または請求項３に記載の洗浄方法である。
【００１８】
請求項４に記載の発明によれば、液切り工程自体で被洗浄物の乾燥を図るか、液切り工程後に乾燥を実施することができる。
【発明の効果】
【００２３】
本発明によれば、洗浄槽内および被洗浄物内の液体の入れ替えを容易で確実に図ることができる。また、洗浄槽内からの排水後で、被洗浄物の乾燥前に、被洗浄物からの液切りを実施すれば、被洗浄物の乾燥を短期間で確実に図ることができる。しかも、新たな部品を要することもない。
【図面の簡単な説明】
【００２４】
【図１】本発明の洗浄装置の一実施例を示す概略構成図である。
【図２】本発明の洗浄方法の一実施例を示すフローチャートである。
【発明を実施するための形態】
【００２５】
以下、本発明の具体的実施例を図面に基づいて詳細に説明する。
【００２６】
本発明の洗浄装置および洗浄方法は、被洗浄物を洗浄するものであるが、洗浄に代えてまたはこれに加えて、被洗浄物を濯ぎ（消毒を含む）するものであってもよい。すなわち、洗浄装置および洗浄方法は、被洗浄物の洗浄および濯ぎの内、少なくとも一方を実行可能とされる。
【００２７】
図１は、本発明の洗浄装置の一実施例を示す概略構成図であり、一部を断面にして示している。
【００２８】
本実施例の洗浄装置１は、被洗浄物２が収容される洗浄槽３と、この洗浄槽３内へ水を供給する給水手段４と、洗浄槽３内へ洗浄剤または濯ぎ剤を供給する給液手段５と、洗浄槽３内を加熱する加熱手段６と、洗浄槽３内の気体を外部へ吸引排出して洗浄槽３内を減圧する減圧手段７と、減圧された洗浄槽３内の気相部へ外気を導入する気相給気手段８と、減圧された洗浄槽３内の液相部へ外気を導入する液相給気手段９と、洗浄槽３内の液体を排出する排水手段１０とを備える。
【００２９】
さらに、洗浄装置１は、洗浄槽３内の気相部の圧力を検出する圧力センサ１１と、洗浄槽３内の液相部の温度（つまり洗浄液または濯ぎ液の温度）を検出する液温センサ１２と、これらセンサ１１，１２の検出信号などに基づき前記各手段４〜１０を制御する制御手段１３とを備える。なお、洗浄槽３内の気相部の圧力を検出する圧力センサ１１に代えてまたはこれに加えて、洗浄槽３内の気相部の温度を検出する温度センサ（図示省略）を備えてもよい。飽和環境下では圧力と温度とを換算することができるので、圧力センサ１１と温度センサとの内、いずれのセンサを用いることもできる。
【００３０】
被洗浄物２は、洗浄を図りたい物品であり、たとえば、医療器具、電子部品または機械部品である。被洗浄物２は、チューブのような管状の物品や、袋穴を有する物品でもよい。その場合でも、管内や穴内の洗浄を効果的に図ることができる。
【００３１】
《洗浄槽３》
洗浄槽３は、内部空間の減圧に耐える中空容器である。図示例の洗浄槽３は、上方へ開口して中空部を有する本体１４と、この本体１４の開口部を開閉する蓋１５とを備える。本体１４に蓋１５をした状態では、本体１４と蓋１５との隙間はパッキン１６で封止される。
【００３２】
《給水手段４》
給水手段４は、洗浄槽３内へ水を供給する。洗浄槽３内へ供給する水は、軟水または純水であるのが好ましい。図示例では、給水手段４は、第一給水路１７を介して洗浄槽３内へ軟水を供給すると共に、第二給水路１８を介して洗浄槽３内へ純水（ＲＯ水）を供給する。洗浄槽３内への軟水の供給は、第一給水路１７に設けた第一給水弁１９の開閉により切り替えられ、洗浄槽３内への純水の供給は、第二給水路１８に設けた第二給水弁２０の開閉により切り替えられる。第一給水弁１９より下流の第一給水路１７と、第二給水弁２０より下流の第二給水路１８とは、共通給水路２１として統一してもよい。
【００３３】
本実施例のように、給水手段４が軟水と純水とを供給できる場合、用途に合わせて水の種類を使い分けることができる。たとえば、洗浄水として軟水を用い、濯ぎ水として純水を用いることができる。但し、第二給水路１８および第二給水弁２０を省略して、洗浄槽３内には軟水のみを供給可能としてもよいし、逆に、第一給水路１７および第一給水弁１９を省略して、洗浄槽３内には純水のみを供給可能としてもよい。
【００３４】
《給液手段５》
給液手段５は、洗浄槽３内へ洗浄剤または濯ぎ剤を供給する。本実施例では、給液手段５は、洗浄槽３内へ洗浄剤を供給する第一給液手段２２と、洗浄槽３内へ濯ぎ剤を供給する第二給液手段２３とを備える。
【００３５】
第一給液手段２２は、第一タンク２４内の洗浄剤を、第一給液路２５を介して洗浄槽３内へ供給する。第一給液路２５には、第一タンク２４の側から順に、第一給液弁２６とオリフィス２７とが設けられる。洗浄槽３内を減圧した状態で、第一給液弁２６を開くことで、洗浄槽３内へ洗浄剤を供給することができる。本実施例では、給水手段４による洗浄水（軟水）に、第一給液手段２２による洗浄剤を混入することで、洗浄液とする。
【００３６】
第二給液手段２３は、第二タンク２８内の濯ぎ剤（たとえば潤滑防錆剤）を、第二給液路２９を介して洗浄槽３内へ供給する。第二給液路２９には、第二タンク２８の側から順に、第二給液弁３０とオリフィス３１とが設けられる。洗浄槽３内を減圧した状態で、第二給液弁３０を開くことで、洗浄槽３内へ濯ぎ剤を供給することができる。本実施例では、給水手段４による濯ぎ水（純水）に、第二給液手段２３による濯ぎ剤を混入することで、濯ぎ液とする。
【００３７】
但し、第一給液手段２２と第二給液手段２３との内、一方または双方は、所望により省略することができる。たとえば、第二給液手段２３を省略して、給水手段４による水だけで濯ぎを行ってもよい。また、第一給液手段２２と第二給液手段２３とを省略して、給水手段４による水だけで洗浄または濯ぎを行ってもよい。
【００３８】
さらに、洗浄剤を含む水を洗浄液とする場合にも、給水手段４による水に予め洗浄剤を混入しておけば、第一給液手段２２を省略することができる。つまり、給水手段４は、水を供給する以外に、洗浄剤を含む水、またはその他の洗浄液を、洗浄槽３内へ供給する手段であってもよい。
【００３９】
同様に、濯ぎ剤を含む水を濯ぎ液とする場合にも、給水手段４による水に予め濯ぎ剤を注入しておけば、第二給液手段２３を省略することができる。つまり、給水手段４は、水を供給する以外に、濯ぎ剤を含む水、またはその他の濯ぎ液を、洗浄槽３内へ供給する手段であってもよい。
【００４０】
《加熱手段６》
加熱手段６は、洗浄槽３内を加熱する。洗浄槽３内を加熱する方法は特に問わないが、図示例の加熱手段６は、洗浄槽３内の底部に配置された電気ヒータ３２である。この場合、洗浄槽３内に液体（洗浄液または濯ぎ液）を貯留した状態で、電気ヒータ３２に通電することで、洗浄槽３内の液体を加熱することができる。
【００４１】
《減圧手段７》
減圧手段７は、洗浄槽３内の気体を、排気路３３を介して外部へ吸引排出して、洗浄槽３内を減圧する。図示例の場合、排気路３３には、洗浄槽３の側から順に、気水分離器３４、熱交換器３５、逆止弁３６、および水封式の真空ポンプ３７が設けられる。
【００４２】
気水分離器３４は、洗浄槽３内からの気体中に含まれる液滴や固形物を除去する。言い換えれば、気水分離器３４は、洗浄槽３内からの蒸気中に含まれる液滴を捕捉して、蒸気の乾き度を向上すると共に、蒸気中に含まれる固形物を捕捉して、下流の熱交換器３５における詰まりを防止する。
【００４３】
気水分離器３４は、その構成を特に問わないが、たとえばデミスター３８が用いられる。具体的には、図示例の気水分離器３４は、中空容器３９と、この容器３９内を上部空間と下部空間とに仕切るよう設けられるデミスター３８とを備える。気水分離器３４の容器３９は、デミスター３８より下部空間の側壁に、洗浄槽３の気相部からの配管が接続され、デミスター３８より上部空間の側壁または上壁に、熱交換器３５への配管が接続される。さらに、気水分離器３４の容器３９は、デミスター３８より下部空間の底壁に、洗浄槽３の液相部への配管４０が接続される。
【００４４】
熱交換器３５は、排気路３３内の蒸気を冷却し凝縮させる。熱交換器３５は、その種類を特に問わないが、たとえばプレート式熱交換器である。熱交換器３５には、熱交給水弁４１を介して水が供給され排出される。従って、洗浄槽３内からの蒸気は、熱交換器３５において、熱交給水弁４１からの水と間接熱交換して、凝縮を図られる。
【００４５】
水封式の真空ポンプ３７は、周知のとおり、封水と呼ばれる水が供給されて作動される。そのために、真空ポンプ３７には、封水給水弁４２を介して水が供給され排出される。封水給水弁４２は、真空ポンプ３７の作動の有無と連動して、開閉される。
【００４６】
《気相給気手段８》
気相給気手段８は、減圧された洗浄槽３内の気相部へ、気相給気路４３を介して外気を導入する。気相給気路４３には、洗浄槽３へ向かって順に、フィルター４４および気相給気弁４５が設けられる。従って、洗浄槽３内が減圧された状態で気相給気弁４５を開くと、洗浄槽３の内外の差圧により、フィルター４４を介した空気を洗浄槽３内へ導入して、洗浄槽３内を復圧することができる。
【００４７】
《液相給気手段９》
液相給気手段９は、減圧された洗浄槽３内の液相部へ、液相給気路４６を介して外気を導入する。液相給気路４６には、洗浄槽３へ向かって順に、フィルター４７および液相給気弁４８が設けられる。従って、洗浄槽３内が減圧された状態で液相給気弁４８を開くと、洗浄槽３の内外の差圧により、フィルター４７を介した空気を、洗浄槽３内の貯留液中に導入することができる。但し、液相給気手段９は、差圧により外気を自然に導入する以外に、圧縮機やポンプから強制的に空気を送り込んでもよい。また、液相給気手段９は、空気を送り込む以外に、所望により空気以外の気体を送り込んでもよい。洗浄槽３内の貯留液中に導入する気体は、後述するように、貯留液を沸騰させる核とするために、貯留液に溶け込みにくい気体ほど好ましい。
【００４８】
ところで、液相給気路４６からの空気は、洗浄槽３内の底部に設けた液相給気ノズル４９を介して、洗浄槽３内に貯留された液体中に導入される。液相給気ノズル４９は、洗浄槽３内の底部に、横向きに配置されたパイプである。液相給気ノズル４９は、洗浄槽３内の底部ではあるが底面から離隔して、水平に保持されている。そして、液相給気ノズル４９には、パイプの延出方向へ沿って設定間隔で、パイプの周側壁にノズル孔（図示省略）が下方へ開口して形成されている。これにより、洗浄槽３内が減圧された状態で液相給気弁４８を開くと、洗浄槽３内に貯留された液体中に均質に気体を導入することができる。
【００４９】
《排水手段１０》
排水手段１０は、洗浄槽３内の液体を、洗浄槽３の底部から排水路５０を介して排出する。排水路５０には、排水弁５１が設けられている。洗浄槽３内に液体が貯留された状態で排水弁５１を開くと、その液体を洗浄槽３外へ自然に排出することができる。なお、図示例では、前述した気水分離器３４から洗浄槽３の液相部への配管４０は、排水路５０の内、洗浄槽３から排水弁５１への中途に、接続されている。
【００５０】
《センサ１１，１２》
さらに、洗浄槽３には、洗浄槽３内の気相部の圧力を検出する圧力センサ１１と、洗浄槽３内の液相部の温度を検出する液温センサ１２とが設けられる。また、前述したとおり、所望により、圧力センサ１１に代えてまたはこれに加えて、洗浄槽３内の気相部の温度を検出する温度センサが設けられる。
【００５１】
また、洗浄槽３には、液位検出器（図示省略）が設けられる。この液位検出器は、洗浄槽３内に設定液位まで液体が貯留されたか否か、洗浄槽３内の貯留液が排水されたか否か、洗浄槽３内に上限液位以上の液体が貯留されていないか否かを検出する。なお、洗浄槽３の側壁上部には、必要以上の貯留液を外部へあふれさせるオーバーフロー路５２も設けられている。このオーバーフロー路５２には、逆止弁５３が設けられている。
【００５２】
《制御手段１３》
制御手段１３は、前記各センサ１１，１２の検出信号などに基づき、前記各手段４〜１０を制御する制御器５４である。具体的には、第一給水弁１９、第二給水弁２０、第一給液弁２６、第二給液弁３０、電気ヒータ３２、真空ポンプ３７、熱交給水弁４１、封水給水弁４２、気相給気弁４５、液相給気弁４８、排水弁５１の他、圧力センサ１１、液温センサ１２および液位検出器は、制御器５４に接続されている。そして、制御器５４は、以下に述べるように、所定の手順（プログラム）に従い、洗浄槽３内の被洗浄物２の洗浄や濯ぎなどを図る。
【００５３】
洗浄装置１は、以上のとおり構成されるが、このような洗浄装置１を用いた洗浄方法の一実施例について、以下に説明する。
【００５４】
図２は、本発明の洗浄方法の一実施例を示すフローチャートである。
ここでは、予洗工程Ｓ１、一以上の洗浄工程Ｓ２〜Ｓ３、一以上の濯ぎ工程Ｓ４〜Ｓ６、および液切り工程Ｓ７の内から選択された工程を順次に実行する。より具体的には、図示例の場合、予洗工程Ｓ１、第一洗浄工程Ｓ２、第二洗浄工程Ｓ３、第一濯ぎ工程Ｓ４、第二濯ぎ工程Ｓ５、第三濯ぎ工程Ｓ６、および液切り工程Ｓ７の内、選択された工程を順次に実行する。
【００５５】
これら工程の開始前に、洗浄槽３内には被洗浄物２が収容され、洗浄槽３の蓋１５は気密に閉じられる。この際、被洗浄物２は、液相給気ノズル４９より上方に配置され、所望により、網状のバスケットなどに入れられて洗浄槽３内に収容される。
【００５６】
ところで、予洗工程Ｓ１と洗浄工程Ｓ２〜Ｓ３とは実施可能な動作が共通しているので、予洗工程Ｓ１を洗浄工程Ｓ２〜Ｓ３の一種と捉えることもできる。また、洗浄工程Ｓ２〜Ｓ３と濯ぎ工程Ｓ４〜Ｓ６とは、洗浄槽３内に貯留される液体が洗浄液か濯ぎ液かの差にあるので、濯ぎ工程Ｓ４〜Ｓ６を洗浄工程Ｓ２〜Ｓ３の一種と捉えることもできる。さらに、洗浄工程Ｓ２〜Ｓ３や濯ぎ工程Ｓ４〜Ｓ６において、洗浄槽３内の液体の温度を高温にすることで、被洗浄物２の消毒を図ることもできるので、洗浄工程Ｓ２〜Ｓ３や濯ぎ工程Ｓ４〜Ｓ６には消毒工程を含むと捉えることもできる。
【００５７】
《予洗工程Ｓ１および各洗浄工程Ｓ２，Ｓ３》
予洗工程Ｓ１および各洗浄工程Ｓ２，Ｓ３では、液切り動作、給水動作、洗浄剤投入動作、加温動作、保温動作、冷却動作、復圧動作、および排水動作の内、選択された動作を順次に実行する。
【００５８】
〈液切り動作〉
液切り動作は、減圧手段７により洗浄槽３内を減圧する。具体的には、第一給水弁１９、第二給水弁２０、第一給液弁２６、第二給液弁３０、気相給気弁４５、液相給気弁４８、排水弁５１を閉じると共に、電気ヒータ３２を停止した状態で、減圧手段７を作動させればよい。これにより、洗浄槽３内の気体を外部へ吸引排出して、洗浄槽３内を減圧することができる。
【００５９】
被洗浄物２が濡れている状況で、液切り動作として、被洗浄物２にある液体の飽和蒸気圧以下まで洗浄槽３内を減圧することで、被洗浄物２からの液切りを図ることができる。すなわち、以前になされた工程との関係で被洗浄物２が濡れている場合があるが、その場合には、液切り動作を実施することで、洗浄槽３内を減圧して、被洗浄物２からの液切りを図ることができる。
【００６０】
具体的には、液切り動作は、洗浄槽３内から液体が排出された後に行われ、洗浄槽３内を減圧することで、被洗浄物２から残留液の除去を図る。特に、被洗浄物２がチューブの場合や、被洗浄物２が袋穴を有する場合、洗浄槽３内から液体を排出しても、チューブ内や袋穴内に液体が残留するおそれがあるが、この液切り動作により、そのような残留液の除去を図ることができる。
【００６１】
たとえば、被洗浄物２がチューブの場合、洗浄槽３内が減圧されることで、チューブ内の残留液体を沸騰させ、チューブ内を蒸気で満たすことで、チューブ内からの洗浄液の除去を図ることができる。また、その後、洗浄槽３内を復圧することで、チューブ内へ空気を導入することができる。さらに、その復圧後、洗浄槽３内を再び減圧すれば、導入した空気を膨張させ、チューブ内の残液をさらにチューブ外へ押し出すことができる。つまり、洗浄槽３内を減圧後に復圧する操作は、一回に限らず複数回行ってもよい。
【００６２】
液切り動作は、洗浄槽３内の液体を入れ替える際や、洗浄または濯ぎ後に被洗浄物２を乾燥させる際に行うのが好ましい。後者の場合、後述する液切り工程における液切り動作となる。なお、液切り動作では、被洗浄物２からの液切りだけでなく、洗浄槽３内からの液切りも図られる。
【００６３】
洗浄槽３内の液体を排水した後、液切り動作を行うことで、チューブ内や袋穴内に残留していた液体を抜いて空気を満たすことで、次の液体を入れることができる。これにより、チューブ内や袋穴内の液体の入れ替えが確実になされる。また、チューブ内や袋穴内に空気が残留しても、後に説明するように洗浄槽３内は液体を貯留して、減圧後に復圧されるので、減圧することで空気を膨張させ、復圧することでチューブ内や袋穴内へ液体を入れることができる。そして、そのような液体の流動により、チューブ内や袋穴内の洗浄を図ることもできる。しかも、入れ替える前後の液体は、液切り動作を介在させることで、互いに混ざることも防止される。さらに、被洗浄物２を乾燥させる際に液切り動作を行うことで、被洗浄物２を迅速かつ確実に乾燥させることができる。
【００６４】
設定圧力まで洗浄槽３内を減圧するか、設定時間だけ洗浄槽３内を減圧するか、設定圧力まで洗浄槽３内を減圧して設定時間だけ保持するか、洗浄槽３内の減圧と復圧とを繰り返すかした後、減圧手段７の作動を停止する。そして、気相給気弁４５を開けて洗浄槽３内を大気圧まで復圧して、液切り動作を終了する。
【００６５】
〈給水動作〉
給水動作は、給水手段４により洗浄槽３内へ水を供給する。具体的には、第二給水弁２０、第一給液弁２６、第二給液弁３０、液相給気弁４８、排水弁５１を閉じる一方、気相給気弁４５を開くと共に、電気ヒータ３２および減圧手段７を停止した状態で、第一給水弁１９を開けばよい。これにより、洗浄水が、洗浄槽３内へ供給される。この際、洗浄槽３内の空気は、気相給気路４３を逆流して、洗浄槽３外へ排出される。
【００６６】
但し、給水動作では、気相給気弁４５を閉じる代わりに、減圧手段７を作動させてもよい。洗浄槽３内を減圧しつつ給水することで、被洗浄物２がたとえばチューブの場合、チューブ内から空気を追い出すことができる。
【００６７】
いずれにしても、洗浄槽３内の設定水位まで洗浄水が供給されると、液位検出器がそれを検知して、第一給水弁１９を閉じて、給水動作を終了する。減圧手段７を作動させていた場合、減圧手段７の作動を停止すると共に気相給気弁４５を一気に開けることで、被洗浄物２がたとえばチューブの場合、チューブ内へ洗浄水を一気に流入させて、洗浄効果を高めることができる。但し、引き続いて洗浄剤投入動作を実施する場合には、減圧手段７の作動を洗浄剤投入動作の終了まで継続し、洗浄剤投入動作の終了時に、気相給気弁４５を開けてもよい。
【００６８】
〈洗浄剤投入動作〉
洗浄剤投入動作は、給液手段５により洗浄槽３内へ洗浄剤を供給する。本実施例では、減圧手段７により洗浄槽３内を減圧後、第一給液手段２２により洗浄槽３内へ洗浄剤を引き込むことで、洗浄槽３内の洗浄水に洗浄剤を混入して洗浄液とする。具体的には、第一給水弁１９、第二給水弁２０、第一給液弁２６、第二給液弁３０、気相給気弁４５、液相給気弁４８、排水弁５１を閉じると共に、電気ヒータ３２を停止した状態で、減圧手段７を作動させて、洗浄槽３内を所望まで減圧した後、減圧手段７を停止させた状態で、第一給液弁２６を開けばよい。
【００６９】
設定時間だけ第一給液弁２６を開くなどして、所望量の洗浄剤を洗浄槽３内へ供給した後、第一給液弁２６を閉じる一方、気相給気弁４５または液相給気弁４８を開けて、洗浄剤投入動作を終了する。被洗浄物２がチューブである場合や、被洗浄物２が袋穴を有している場合、気相給気弁４５を開いて洗浄槽３内を復圧することで、チューブ内や袋穴内に液体を入れることができる。一方、液相給気弁４８を開いて液相部に空気を入れる場合、洗浄槽３内の液体を揺らすことができ、これにより洗浄剤と洗浄水との混合を図り、短時間で洗浄剤を洗浄水中に均一に拡散させることができる。また、液相部へ供給された空気は、洗浄槽３内の液体中を上昇し、やがて気相部へ到達する。気相部の圧力が上昇することで、気相給気弁４５を開いた場合と同様の作用効果を得ることができる。具体的には、被洗浄物２がたとえばチューブの場合、チューブ内に液体を入れることができる。
【００７０】
ところで、洗浄槽３内への洗浄剤の供給中に、洗浄槽３内の圧力を監視し、急な圧力上昇があった場合には、第一タンク２４内の洗浄剤が空になるなどの理由で、洗浄槽３内に外気を導入したとして、その旨を報知するようにしてもよい。
【００７１】
〈加温動作〉
加温動作は、洗浄槽３内の液体が加温目標温度になるまで、洗浄槽３内の液体を加熱する。具体的には、第一給水弁１９、第二給水弁２０、第一給液弁２６、第二給液弁３０、液相給気弁４８、排水弁５１を閉じた状態で、電気ヒータ３２を作動させればよい。
【００７２】
加温動作中、減圧手段７を停止すると共に、気相給気弁４５を開いた状態に維持する。あるいは、加温動作中、減圧手段７による減圧と、その後の気相給気手段８による復圧とを繰り返してもよい。このような制御を気相給気パルス制御ということにする。あるいは、加温動作中、減圧手段７による減圧と、その後の液相給気手段９による復圧とを繰り返してもよい。このような制御を液相給気パルス制御ということにする。
【００７３】
ところで、各給気パルス制御は、加温動作中に限らず、後述するように、保温動作中や冷却動作中にも、所望により実施可能である。但し、どの工程のどの動作で実施するかに応じて、いずれの給気パルス制御を用いるかや、各給気パルス制御に用いる目標圧力や目標温度などは適宜に変更される。また、各給気パルス制御は、それを併用する動作（たとえば加温動作）中には継続して実施してもよいが、その動作中の一時期においてのみ実施してもよい。
【００７４】
被洗浄物２がたとえばチューブの場合、気相給気パルス制御を行うことで、洗浄槽３内の減圧と復圧とにより、チューブ内の残留空気を膨張および圧縮し、チューブ内に液体を流動させて、チューブ内の洗浄を図ることができる。一方、被洗浄物２がたとえば鉗子の場合、蒸気や空気の溜まる箇所がないので、液相給気パルス制御を行うことで、洗浄槽３内の液体中に気体を吹き込んで、洗浄槽３内の液体を揺動させることにより、被洗浄物２の洗浄を図ることができる。
【００７５】
第一洗浄工程Ｓ２後に第二洗浄工程Ｓ３を行うなど、洗浄工程を複数回行う場合には、各洗浄工程における加温動作の内容を変えてもよい。たとえば、第二洗浄工程Ｓ３における加温目標温度は、第一洗浄工程Ｓ２における加温目標温度よりも高く設定してもよい。また、第一洗浄工程Ｓ２の加温動作では気相給気パルス制御を行い、第二洗浄工程Ｓ３の加温動作では液相給気パルス制御を行うようにしてもよい。
【００７６】
加温動作中、液温センサ１２により洗浄槽３内の液体の温度を監視して、洗浄槽３内の液体が加温目標温度になれば、電気ヒータ３２を停止させて加温動作を終了する。但し、引き続いて保温動作を実施する場合には、そのまま保温動作へ移行する。
【００７７】
〈保温動作〉
保温動作は、加温動作で洗浄槽３内の液体を加温目標温度まで昇温した後、その加温目標温度に液体を設定保温時間だけ保持する。具体的には、第一給水弁１９、第二給水弁２０、第一給液弁２６、第二給液弁３０、排水弁５１を閉じた状態で、液温センサ１２による検出温度を加温目標温度に維持するように、電気ヒータ３２への通電の有無または供給電力を制御すればよい。
【００７８】
保温動作中、減圧手段７を停止する。場合によっては、前述した液相給気パルス制御を行ってもよい。すなわち、気相給気弁４５を閉じた状態で、減圧手段７による減圧と、その後の液相給気手段９による復圧とを繰り返してもよい。この液相給気パルス制御の作用効果の詳細については、後述する。
【００７９】
洗浄槽３内の液体が加温目標温度になってから設定保温時間経過すると、電気ヒータ３２を停止して、保温動作を終了する。たとえば、被洗浄物２がチューブの場合、チューブ内の液温の上昇はチューブ外よりも遅れるが、保温動作を実行することで、チューブ内外の液温を一定に保持することができる。
【００８０】
〈冷却動作〉
冷却動作は、所定の終了条件を満たすまで、洗浄槽３内を減圧し、洗浄槽３内の液体を冷却する。具体的には、第一給水弁１９、第二給水弁２０、第一給液弁２６、第二給液弁３０、液相給気弁４８、排水弁５１を閉じると共に、電気ヒータ３２を停止した状態で、減圧手段７を作動させればよい。
【００８１】
前記終了条件としては、洗浄槽３内の液体が冷却目標温度になるまでとされる。但し、洗浄槽３内が設定圧力になるまでとしたり、設定時間が経過するまでとしたりしてもよい。
【００８２】
冷却動作中、気相給気パルス制御を行うのがよい。気相給気パルス制御を伴う冷却動作では、洗浄槽３内の液体を沸騰させ続けるように洗浄槽３内の減圧を継続し、この間、所定タイミングで、液体の沸騰が止むまで、洗浄槽３内を瞬時に一時的に復圧することが繰り返される。この復圧は、液体の沸騰が止む圧力までなされる。また、瞬時の復圧は、電磁弁からなる気相給気弁４５を一気に開けることでなされる。この復圧時にも、減圧手段７は作動させたままでよい。気相給気弁４５を開けて洗浄槽３内を復圧して、液体の沸騰を中断させた後は、気相給気弁４５を再び閉じて、洗浄槽３内の減圧とそれによる液体の沸騰が図られる。
【００８３】
前記所定タイミングとしては、液温センサ１２に基づき洗浄槽３内の液体の温度を監視して、その温度が所定温度ずつ下がるたびとされる。但し、圧力センサ１１に基づき洗浄槽３内の圧力を監視して、その圧力が所定圧力ずつ下がるたびとしてもよい。あるいは、洗浄槽３内の気相部に温度センサを設け、この温度センサに基づき洗浄槽３内の気相部の温度を監視して、その温度が所定温度ずつ下がるたびとしてもよい。
【００８４】
このように、気相給気パルス制御を伴う冷却動作では、洗浄槽３内を減圧して液体を沸騰させ、この沸騰中に、洗浄槽３内を瞬時に一時的に復圧して、液体の沸騰を一気に止めることが繰り返される。従って、復圧時、それまでの沸騰により液中に生じていた水蒸気の気泡は、瞬時に凝縮することになる。この凝縮時の圧力波や圧力差で、洗浄槽３内の液体が攪拌および移送され、被洗浄物２の洗浄が図られる。また、被洗浄物２が管や穴を有する場合、洗浄槽３内の減圧により、被洗浄物２の管内や穴内には蒸気溜まりが生じるが、洗浄槽３内の復圧により、そのような蒸気溜まりが瞬時に消滅する。従って、被洗浄物２の管内や穴内に液体を激しく出入りさせることができ、それにより被洗浄物２の洗浄が図られる。
【００８５】
このような処理は、前記終了条件が満たされるまでなされる。典型的には、前述したとおり、洗浄槽３内の液体が冷却目標温度になるまで行われる。前記終了条件が満たされると、減圧手段７の作動を停止して、冷却動作を終了する。
【００８６】
ところで、冷却動作中、気相給気パルス制御に代えて液相給気パルス制御を行ってもよい。つまり、冷却動作中、気相給気弁４５を閉じた状態に維持する代わりに、液相給気弁４８を開閉して、液相給気パルス制御を行ってもよい。液相給気パルス制御を伴う冷却動作では、洗浄槽３内の液体を沸騰させるかその直前まで洗浄槽３内を減圧した状態で、液相給気弁４８を開いて、被洗浄物２よりも下方から洗浄槽３内の液体中に気体を導入して、液体を沸騰させつつ被洗浄物２の洗浄が図られる。
【００８７】
すなわち、減圧手段７により洗浄槽３内の気相部の圧力を洗浄槽３内の液体の蒸気圧以下またはその直前まで下げた状態で、液相給気手段９により、被洗浄物２よりも下方から洗浄槽３内の液体中に気体を導入する。これにより、洗浄槽３内の液体を沸騰、しかも激しく沸騰させることができ、被洗浄物２の洗浄を図ることができる。なお、所定までの減圧と、その減圧により沸騰可能状態の液体中への気体導入による突沸の誘発とを、複数回行ってもよい。
【００８８】
洗浄槽３内の液体を沸騰可能状態とするには、基本的には、洗浄槽３内の気相部の圧力を洗浄槽３内の液体の蒸気圧以下とする必要がある。但し、実際には、洗浄槽３内の液体の蒸気圧よりわずかに高い圧力でも、液体の一部に過熱した部分が存在することで、液体中に気体を導入することによって沸騰が起こる場合がある。そこで、洗浄槽３内の気相部の圧力を洗浄槽３内の液体の蒸気圧以下または場合によりその直前まで下げた状態として、液体中に気体を導入すればよい。
【００８９】
第一洗浄工程Ｓ２後に第二洗浄工程Ｓ３を行うなど、洗浄工程を複数回行う場合には、各洗浄工程における減圧動作の内容を変えてもよい。たとえば、第二洗浄工程Ｓ３における冷却目標温度は、第一洗浄工程Ｓ２における冷却目標温度よりも高く設定してもよい。
【００９０】
〈復圧動作〉
復圧動作は、洗浄槽３内を復圧目標圧力まで復圧する。具体的には、第一給水弁１９、第二給水弁２０、第一給液弁２６、第二給液弁３０、液相給気弁４８、排水弁５１を閉じると共に、電気ヒータ３２および減圧手段７を停止した状態で、気相給気弁４５を開けばよい。洗浄槽３内が復圧目標圧力まで復圧されると、復圧工程を終了する。
【００９１】
〈排水動作〉
排水動作は、洗浄槽３内の液体を排出する。具体的には、第一給水弁１９、第二給水弁２０、第一給液弁２６、第二給液弁３０、液相給気弁４８を閉じる一方、気相給気弁４５を開くと共に、電気ヒータ３２および減圧手段７を停止した状態で、排水弁５１を開けばよい。これにより、洗浄槽３内の液体が、洗浄槽３外へ排出される。洗浄槽３内の液体が完全に排出されたことを液位検出器で検知すると、排水弁５１を閉じて、排水動作を終了する。
【００９２】
《各濯ぎ工程Ｓ４〜Ｓ６》
各濯ぎ工程Ｓ４〜Ｓ６では、液切り動作、給水動作、濯ぎ剤投入動作、加温動作、保温動作、減圧動作、復圧動作および排水動作の内、選択された動作を順次に実行する。この内、液切り動作、給水動作、加温動作、保温動作、減圧動作、復圧動作および排水動作は、上述した各洗浄工程Ｓ２〜Ｓ３におけるものと同様であるから、その説明を省略する。但し、濯ぎ工程Ｓ４〜Ｓ６における給水動作では、第一給水弁１９に代えて第二給水弁２０を開くことで、洗浄槽３内へは濯ぎ水が供給される。また、加温動作、保温動作および減圧動作において、給気パルス制御を行うか否か、給気パルス制御を行う場合には気相給気パルス制御と液相給気パルス制御との内のいずれを行うか、実行しようとする給気パルス制御をどのような圧力や温度で行うかなどは、各工程の各動作に応じて適宜に設定される。
【００９３】
〈濯ぎ剤投入動作〉
濯ぎ剤投入動作は、上述した各洗浄工程Ｓ２，Ｓ３における洗浄剤投入動作に対応するものであり、異なる点は、洗浄槽３内へ供給される液が、洗浄剤ではなく濯ぎ剤である点にある。つまり、洗浄工程Ｓ２〜Ｓ３における洗浄剤投入動作では、減圧手段７により洗浄槽３内を減圧後、第一給液弁２６を開いて洗浄剤を洗浄槽３へ供給したが、濯ぎ工程Ｓ４〜Ｓ６における濯ぎ剤投入動作では、減圧手段７により洗浄槽３内を減圧後、第二給液弁３０を開いて濯ぎ剤を洗浄槽３へ供給する。このようにして、洗浄槽３内へ濯ぎ剤を引き込むことで、洗浄槽３内の濯ぎ水に濯ぎ剤を混入して濯ぎ液とする。そして、設定時間だけ第二給液弁３０を開くなどして、所望量の濯ぎ剤を洗浄槽３内へ供給した後、第二給液弁３０を閉じる一方、気相給気弁４５または液相給気弁４８を開けて、濯ぎ剤投入動作を終了する。
【００９４】
《液切り工程Ｓ７》
液切り工程Ｓ７は、前記予洗工程Ｓ１、前記各洗浄工程Ｓ２〜Ｓ３および前記各濯ぎ工程Ｓ４〜Ｓ６における液切り動作およびその後の復圧動作に対応するものである。つまり、液切り工程Ｓ７における液切り動作は、洗浄工程Ｓ２〜Ｓ３などにおける液切り動作に相当し、液切り工程Ｓ７における復圧動作は、洗浄工程Ｓ２〜Ｓ３などにおける復圧動作に相当する。従って、液切り工程Ｓ７では、洗浄槽３内が空気で満たされた状態で、洗浄槽３内を減圧した後、洗浄槽３内を大気圧まで復圧する。
【００９５】
上述したとおり、予洗工程Ｓ１、第一洗浄工程Ｓ２、第二洗浄工程Ｓ３、第一濯ぎ工程Ｓ４、第二濯ぎ工程Ｓ５、第三濯ぎ工程Ｓ６および液切り工程Ｓ７の内、選択された工程を順次に実行する。たとえば、第一洗浄工程Ｓ２、第一濯ぎ工程Ｓ４および液切り工程Ｓ７を選択することで、洗浄工程、濯ぎ工程および液切り工程の三つを順次に実行する。そして、洗浄工程Ｓ２では、たとえば、給水動作、洗浄剤投入動作、加温動作、保温動作、冷却動作、復圧動作、排水動作が選択される。また、濯ぎ工程Ｓ４では、たとえば、液切り動作、給水動作、濯ぎ剤投入動作、加温動作、保温動作、冷却動作、復圧動作、排水動作が選択される。さらに、液切り動作Ｓ７では、液切り動作と復圧動作が選択される。
【００９６】
この場合、洗浄工程Ｓ２の給水動作と洗浄剤投入動作とにより、洗浄槽３内に洗浄液が貯留された後、加温動作および保温動作により、洗浄液が設定温度まで昇温されて保持された後、冷却動作がなされた後、復圧動作により洗浄槽３内を大気圧まで復圧して、排水動作により洗浄液を排出する。
【００９７】
その後、濯ぎ工程Ｓ４の液切り動作により、被洗浄物２からの残留液の液切りが図られる。そして、給水動作と濯ぎ剤投入動作とにより、洗浄槽３内に濯ぎ液が貯留された後、加温動作と保温動作とにより、濯ぎ液が設定温度まで昇温されて保持された後、冷却動作がなされた後、復圧動作により洗浄槽３内を大気圧まで復圧して、排水動作により濯ぎ液を排出する。
【００９８】
その後、液切り工程Ｓ７の液切り動作により、被洗浄物２からの残留液の液切りが図られる。最後に、復圧動作により、洗浄槽３内が大気圧まで復圧される。液切り工程Ｓ７の液切り動作により、被洗浄物２の液切りだけでなく、被洗浄物２の完全な乾燥を行ってもよい。あるいは、液切り工程Ｓ７の液切り動作後に、被洗浄物２を別の装置に移すなどして、被洗浄物２の乾燥を行ってもよい。
【００９９】
ところで、前記各工程Ｓ１〜Ｓ７において、減圧手段７を作動させる際、減圧当初は洗浄槽３内が空気で満たされているので、そのような段階から熱交換器３５を機能させるのでは、熱交換器３５における冷却用水に無駄を生じる。そこで、熱交給水弁４１を閉じた状態で真空ポンプ３７を作動させて洗浄槽３内の減圧を開始後、それに遅れる設定タイミングで熱交給水弁４１を開くのが好ましい。
【０１００】
つまり、減圧開始当初は、洗浄槽３内から主として空気を抜くことになるので、熱交換器３５において蒸気を凝縮させる必要性に乏しい。そこで、減圧開始当初は、熱交給水弁４１を閉じておき、真空ポンプ３７のみで減圧を図ればよい。その後、蒸気が吸引排出されるようになれば、熱交給水弁４１を開いて、熱交換器３５を機能させればよい。
【０１０１】
熱交給水弁４１を開くタイミングは、適宜に設定されるが、たとえば、減圧開始から設定時間が経過した時点、または、洗浄槽３内の圧力が設定圧力以下となった時点などとされる。また、洗浄槽３内の気相部の圧力または温度と、洗浄槽３内の液体の温度とに基づき設定してもよい。
【０１０２】
洗浄槽３内の気相部の圧力または温度と、洗浄槽３内の液相部の温度とに基づき、熱交給水弁４１を開くタイミングを決定できる理由について説明する。まず、減圧開始当初、洗浄槽３内の圧力は大気圧に近く、洗浄槽３内には空気が多い状況である。洗浄槽３内の減圧が進むに連れて、洗浄槽３内から空気が抜けていくことになる。さらに減圧が進み、洗浄槽３内の気相部の圧力が洗浄槽３内の液体の蒸気圧以下になると、洗浄槽３内の液体は沸騰し、その蒸気により洗浄槽３内はやがて蒸気で満たされる。ここで、前述したとおり、洗浄槽３内の気相部の圧力と温度とは所定の関係にある。また、洗浄槽３内の液体の蒸気圧は、その液体の温度に依存する。従って、洗浄槽３内の気相部の圧力または温度と、洗浄槽３内の液相部の温度とに基づき、沸騰開始点を予想できることになる。そこで、沸騰開始点を予想して、減圧開始後で沸騰開始前の所定タイミング、好ましくは沸騰開始点またはその直前に、熱交給水弁４１を開けばよい。
【０１０３】
従って、典型的には、熱交給水弁４１を閉じた状態で真空ポンプ３７を作動させて洗浄槽３内の減圧を開始後、（ａ）圧力センサ１１の検出圧力を飽和圧力とする温度と、液温センサ１２の検出温度との差が設定範囲内に入るか、（ｂ）圧力センサ１１の検出圧力と、液温センサ１２の検出温度を飽和温度とする圧力との差が設定範囲内に入るか、（ｃ）気相部の温度センサの検出温度と、液温センサ１２の検出温度との差が設定範囲内に入ると、熱交給水弁４１を開けばよい。
【０１０４】
また、前記各工程Ｓ１〜Ｓ７において、減圧手段７を作動させた後は、洗浄槽３内の減圧に伴って貯留液が真空冷却されるので、液温が徐々に低下する。液温の変化に拘わらず熱交換器３５への給水量を一定に保持していたのでは、給水量に無駄が生じる。そこで、減圧手段７により洗浄槽３内を減圧中、洗浄槽３内の洗浄液の温度低下に伴い熱交換器３５への給水量を減少させるのがよい。
【０１０５】
具体的には、熱交給水弁４１を開度調整可能な弁から構成し、洗浄槽３内の液体の温度を液温センサ１２で監視して、液温センサ１２の検出温度に基づき熱交給水弁４１の開度を調整すればよい。あるいは、熱交給水路に熱交給水ポンプを設け、洗浄槽３内の液体の温度を液温センサ１２で監視して、液温センサ１２の検出温度に基づき熱交給水ポンプをインバータ制御してもよい。
【０１０６】
いずれの場合も、熱交換器３５への給水を停止した状態で真空ポンプ３７を作動させて洗浄槽３内の減圧を開始後、設定タイミングで熱交換器３５への給水を開始した後は、洗浄槽３内の液体の温度低下に伴い熱交換器３５への給水量を調整するのがよい。
【０１０７】
ところで、給水系統の異常により、真空ポンプ３７へ封水が供給されない状況が生じた場合に、それを検知できるのが好ましい。そのために、真空ポンプ３７への封水給水路に圧力センサ（図示省略）を設置して、封水給水路内の圧力を監視すればよい。あるいは、真空ポンプ３７への封水給水路にフローセンサ（図示省略）を設置して、封水給水路内の流れを監視すればよい。あるいは、真空ポンプ３７やその下流に封水温度センサ（図示省略）を設置して、封水の温度を監視すればよい。これにより、真空ポンプ３７へ封水が供給されているか否かを監視することができる。
【０１０８】
また、洗浄槽３内を減圧中、何らかの事情により、洗浄槽３内の高温の液体が排気路３３へ導出され続けると、真空ポンプ３７に異常を来たすおそれがある。そこで、前記封水温度センサにより封水の温度を監視して、封水の温度が設定を超えると、減圧手段７を停止させるのがよい。これにより、真空ポンプ３７の保護を図ることができる。
【０１０９】
本発明の洗浄装置および洗浄方法は、前記実施例の構成に限らず適宜変更可能である。特に、洗浄槽３内の液体に被洗浄物２を浸漬して洗浄または濯ぎを図った後、洗浄槽３内から液体を排出し、その後、洗浄槽３内を減圧することで被洗浄物２からの液切りを図る構成であれば、洗浄や濯ぎの具体的方法は適宜に変更可能である。従って、たとえば液相給気パルス制御を行わない場合には、液相給気手段９の設置を省略することができる。逆に、たとえば超音波洗浄を行おうとする場合には、超音波振動子をさらに設置することもできる。
【０１１０】
さらに、デミスター３８や熱交換器３５の詰まりを監視するようにしてもよい。具体的には、洗浄槽３内の圧力と経過時間とに基づき、洗浄槽３内の減圧速度を監視し、この減圧速度が基準値以下となった場合には、その旨のお知らせを出すようにしてもよい。なお、気水分離器３４は、容器３９内を上部空間と下部空間とに仕切るようにデミスター３８が設けられるが、その上部領域と下部領域との差圧を圧力スイッチで監視することで、デミスター３８が詰まっているか否かを把握することができる。
【符号の説明】
【０１１１】
１  洗浄装置
２  被洗浄物
３  洗浄槽
４  給水手段
５  給液手段
６  加熱手段
７  減圧手段
８  気相給気手段
９  液相給気手段
１０  排水手段
１１  圧力センサ
１２  液温センサ
１３  制御手段
【図１】
0005515731.tif 000002
【図２】
0005515731.tif 000003